(57)【要約】【課題】高価な光学硝材を加工した遠赤外線レンズを有効に使用することができ、広画角像を鮮明に結像できる遠赤外線レンズ用テレコンバーターレンズを提供すること。【解決手段】全系で２枚からなり、正の屈折力を有した第１レンズと、負の屈折力を有した第２レンズとからなる，全体としてアフォーカル系となる遠赤外線用テレコンバーターレンズ。【選択図】図１
2014063040.tif 000002
【特許請求の範囲】
【請求項１】
全系で２枚からなり，
正の屈折力を有した第１レンズ
負の屈折力を有した第２レンズからなる，全体としてアフォーカル系となることを特徴とする遠赤外線用テレコンバーターレンズ。
【請求項２】
（f1/f2）/d12  ≦  6.08・・・・・・・・・(1)
f1  :第1レンズ焦点距離
f2  :第2レンズ焦点距離
d12：コンバーターの全長
を満足することを特徴とする請求項１に記載の遠赤外線用テレコンバーターレンズ。
【請求項３】
80  <  ν  <  1010 ・・・・・・・・・・・(2)
ν：第1，第2レンズの各アッベ数（8-14um）
ν=｛(波長10umでの屈折率)-1｝  /  {(波長14umでの屈折率)-(波長8umでの屈折率)}
を満足することを特徴とする請求項１に記載の遠赤外線用テレコンバーターレンズ。
【請求項４】
-2.068 ≦ ｆ１/f2 ≦ -1.4・・・・・・・・(3)
を満足することを特徴とする請求項１に記載の遠赤外線用テレコンバーターレンズ。
【請求項５】
少なくとも１面が非球面であることを特徴とする請求項１に記載の遠赤外線用コンバーターレンズ。
【請求項６】
少なくとも1面が回折面であることを特徴とする請求項１に記載の線赤外用コンバータレンズ。
【発明の詳細な説明】
【技術分野】
【０００１】
本発明は、遠赤外線レンズ用テレコンバーターレンズ、さらに詳しくは、波長が８μｍ〜１４μｍの遠赤外線を使用する遠赤外線サーモグラフィ用レンズ、遠赤外線監視カメラ用レンズ等の物体側に装着して焦点距離を長くし、画角を縮小する遠赤外線レンズ用テレコンバーターレンズに関する。
【背景技術】
【０００２】
従来より、環境や人体の温度分布の測定や暗所での侵入監視等に、波長８μｍ〜１４μｍの遠赤外線撮像素子と赤外線用レンズを組み合わせた遠赤外線カメラが使用されてきた。赤外線用レンズは、単焦点レンズやズームレンズであり、ユーザーが撮像目的、撮像範囲、撮像環境等を勘案して選択していた。通常、広範囲の被写体を撮像したい場合には焦点距離の短い広角単焦点レンズを、遠方を拡大して撮影したい場合には焦点距離の長い望遠単焦点レンズを選択し、あるいは広角から望遠を１本で撮影可能なズームレンズが選択されている。
近年、遠赤外線撮像素子の解像度が上がり、被写体をより細かく細部を潰すことなく撮影できるようになり、遠赤外線カメラでも一撮像画面に遠方の被写体を拡大して目視を超えた多くの情報を含めたいという要望をより満たせるようになってきている。
【０００３】
先行技術文献においては、赤外線用レンズ及び遠赤外線用レンズのコンバーターレンズに関する提案は見当たらない。
【発明の概要】
【発明が解決しようとする課題】
【０００４】
ズームレンズにおいては、最も物体側のレンズは広い画角を取り込むために外径が大きくなる。ズームレンズではまた、これに加えて望遠状態では、広角状態に比較して入射光束が太くなることにより構成レンズの外径が大きくなる。
他方、遠赤外線レンズに使用される光学硝材は、ゲルマニウムやカルコゲナイド等の希少金属を含むものである。これらの光学硝材は、世界的に流通量や使用量が少なく、採掘・生産場所も限られているため、非常に高価である。そのため、遠赤外線用光学系に使用するレンズ製品自体の価格が非常に高い。
【０００５】
環境や人体の温度分布の測定や暗所での侵入監視等のために撮像領域（画角）を頻繁に変更することが有効な装置においては、ズームレンズを採用して効率的に使用できる。しかし、撮像装置等を一度設定してしまえば設定された固定的な撮像領域（画角）で必要な撮像ができる場合は、ズームレンズのズーム性能は無駄である。また、ズームレンズは、非常に多数のレンズを有し、その各レンズが非常に高価であることから、製造コストに大きな問題がある。
【０００６】
（発明の目的）
本発明は、波長が８μｍ〜１４μｍの遠赤外線を使用する遠赤外線サーモグラフィ用レンズ，遠赤外線監視カメラ用レンズ等赤外線用光学系に関する上述した問題点に鑑みてなされたものであって、高価な光学硝材を研磨・切削・研削・モールド加工した遠赤外線レンズを有効に使用することができ、望遠像を鮮明に結像できる遠赤外線レンズ用テレコンバーターレンズを提供することを目的とする。
【課題を解決するための手段】
【０００７】
本発明は、
全系で２枚からなり，
正の屈折力を有した第１レンズ
負の屈折力を有した第２レンズからなる，全体としてアフォーカル系となることを特徴とする遠赤外線用テレコンバーターレンズ
である。
【発明の効果】
【０００８】
本発明の遠赤外線用テレコンバーターレンズによれば、波長が８μｍ〜１４μｍの遠赤外線を使用する遠赤外線サーモグラフィ用レンズ，遠赤外線監視カメラ用レンズ等赤外線用光学系に関する上述した問題点に鑑みてなされたものであって、高価な光学硝材を研磨・切削・研削・モールド加工した遠赤外線レンズを有効に使用することができる遠赤外線レンズ用テレコンバーターレンズを形成することができる。
本発明の遠赤外線レンズ用テレコンバーターレンズは、遠赤外線監視装置、サーモグラフィー、そして太陽光発電素子、配電盤、建物等の全体・局部温度測定等に優れたコストパフォーマンスで実施できる。
【０００９】
本発明の実施態様及びその効果は以下の通りである。
（実施態様１）
前記遠赤外線用テレコンバーターレンズにおいて、
（f1/f2）/d12  ≦  6.08・・・・・・・・・・・・・・・・・・・（１）
f1  :第1レンズ焦点距離
f2  :第2レンズ焦点距離
d12：コンバーターの全長
を満足することを特徴とする。
【００１０】
遠赤外線用レンズは、強い曲率にすると製造上非常にコスト高になる。第１実施形態は、構成レンズの外径・全長を短くし、かつ強い曲率を有しない条件である。上述した小型化を達成するためには、第１レンズと第２レンズの間隔を決める要因の一つである第１レンズの像側主点位置と第２レンズの物体側主点の間隔を、第１レンズの焦点距離と第２レンズの焦点距離の差に近付け、第１レンズと第２レンズを大きく離さないことが求められる。従って、第１レンズと第２レンズの間隔が第１レンズ第２レンズ焦点距離の差に近い場合、遠赤外線用テレコンバーターレンズ全長を最も短くでき、かつ曲率も弱く、全長・外径が小さくなり、製造コストの安いレンズを形成することができる。
【００１１】
（実施態様２）
上述した本発明において、以下の条件式（２）を満足することを特徴とする。
80  ≦  ν  ≦  1010       ・・・・・・・・・・・（２）
ν：第１レンズ，第２レンズの各アッベ数（8-14μｍ）
ν=｛（波長10μｍでの屈折率)-1｝  /  {（波長14μｍでの屈折率）-
（波長8μｍでの屈折率）}
【００１２】
条件式（２）は、遠赤外線における軸上色収差、倍率色収差、軸外色収差等の光学性能を良好にするための条件である。該当光学ガラスとしては、Ｇｅ（ν＝９４２）、カルコゲナイド（ν＝８４．６〜１２０）、ＺｎＳ（ν＝２２．８），ＺｎＳｅ（ν＝５７．８）等が挙げられる。
条件式（２）の範囲を超えた場合、軸上色収差、倍率色収差、軸外色収差等の光学性能が悪化し、解像力の悪いレンズ光学系になる。
【００１３】
（実施態様３）
上述した本発明において、以下の条件式（３）を満足することを特徴とする。
-2.068 ≦ f1/f2 ≦ -1.4        ・・・・・・・・・（３）
f1  : 第1レンズ焦点距離
f2  : 第2レンズ焦点距離
【００１４】
条件式（３）は、遠赤外線レンズ用テレコンバーターレンズのテレタイプの特性の程度を限定する。
条件式（３）の下限を超えた場合、過度にテレタイプの特性が強くなり過ぎてしまい、本体レンズ系に装着後の光学性能が劣化し、また第１レンズ外径及び第２レンズ外径が大きくなり過ぎてしまう。
条件式（３）の下限を超えた場合、テレタイプの特性が少なく、テレコンバーターの本質であるテレ化の作用が乏しくなる。
【００１５】
（実施態様４）
上述した本発明において、少なくとも１面が非球面であることを特徴とする。
【００１６】
正の屈折力を有する物体側の第１レンズと、負の屈折力を有する像側の第２レンズからアフォーカル光学系を形成する場合、球面レンズのみで構成すると歪曲収差の劣化、非点収差の悪化等の問題が発生し、解決することが困難である。少なくとも１面を非球面とすることにより、少ないレンズ枚数で、特に歪曲収差及び非点収差を有効に補正することができる。
【００１７】
（実施態様５）
上述した本発明において、少なくとも１面が回折面であることを特徴とする。
【００１８】
本体の遠赤外線レンズは望遠側で色収差が大きくなる傾向がる。少なくとも１面を回折とすることにより、これを装着する本体の遠赤外線レンズは望遠側で色収差も補正することができる。
【図面の簡単な説明】
【００１９】
【図１】本発明の第１実施形態の遠赤外線レンズ用テレコンバーターレンズの光学図である。
【図２】本発明の第１実施形態の遠赤外線レンズ用テレコンバーターレンズ装着レンズ系のワイド端の収差図であり、（ａ）は球面収差図、（ｂ）は非点収差図、（ｃ）は歪曲収差図である。非点収差図（ｂ）において、Ｓは波長１０μｍのサジタル方向の非点収差を示し、Ｔは波長１０μｍのタンジェンシャル方向の非点収差を示す。歪曲収差図（ｃ）は、波長１０μｍの歪曲収差を示す。
【図３】本発明の第１実施形態の遠赤外線レンズ用テレコンバーターレンズ装着レンズ系のテレ端の収差図であり、（ａ）は球面収差図、（ｂ）は非点収差図、（ｃ）は歪曲収差図である。非点収差図（ｂ）において、Ｓは波長１０μｍのサジタル方向の非点収差を示し、Ｔは波長１０μｍのタンジェンシャル方向の非点収差を示す。歪曲収差図（ｃ）は、波長１０μｍの歪曲収差を示す。
【図４】本発明の第２実施形態の遠赤外線レンズ用テレコンバーターレンズの光学図である。
【図５】本発明の第２実施形態の遠赤外線レンズ用テレコンバーターレンズ装着レンズ系のワイド端の収差図であり、（ａ）は球面収差図、（ｂ）は非点収差図、（ｃ）は歪曲収差図である。非点収差図（ｂ）において、Ｓは波長１０μｍのサジタル方向の非点収差を示し、Ｔは波長１０μｍのタンジェンシャル方向の非点収差を示す。歪曲収差図（ｃ）は、波長１０μｍの歪曲収差を示す。
【図６】本発明の第２実施形態の遠赤外線レンズ用テレコンバーターレンズ装着レンズ系のテレ端の収差図であり、（ａ）は球面収差図、（ｂ）は非点収差図、（ｃ）は歪曲収差図である。非点収差図（ｂ）において、Ｓは波長１０μｍのサジタル方向の非点収差を示し、Ｔは波長１０μｍのタンジェンシャル方向の非点収差を示す。歪曲収差図（ｃ）は、波長１０μｍの歪曲収差を示す。
【図７】本発明の第３実施形態の遠赤外線レンズ用テレコンバーターレンズの光学図である。
【図８】本発明の第３実施形態の遠赤外線レンズ用テレコンバーターレンズ装着レンズ系のワイド端の収差図であり、（ａ）は球面収差図、（ｂ）は非点収差図、（ｃ）は歪曲収差図である。非点収差図（ｂ）において、Ｓは波長１０μｍのサジタル方向の非点収差を示し、Ｔは波長１０μｍのタンジェンシャル方向の非点収差を示す。歪曲収差図（ｃ）は、波長１０μｍの歪曲収差を示す。
【図９】本発明の第３実施形態の遠赤外線レンズ用テレコンバーターレンズ装着レンズ系のテレ端の収差図であり、（ａ）は球面収差図、（ｂ）は非点収差図、（ｃ）は歪曲収差図である。非点収差図（ｂ）において、Ｓは波長１０μｍのサジタル方向の非点収差を示し、Ｔは波長１０μｍのタンジェンシャル方向の非点収差を示す。歪曲収差図（ｃ）は、波長１０μｍの歪曲収差を示す。
【図１０】本発明の第４実施形態の遠赤外線レンズ用テレコンバーターレンズの光学図である。
【図１１】本発明の第４実施形態の遠赤外線レンズ用テレコンバーターレンズ装着レンズ系のワイド端の収差図であり、（ａ）は球面収差図、（ｂ）は非点収差図、（ｃ）は歪曲収差図である。非点収差図（ｂ）において、Ｓは波長１０μｍのサジタル方向の非点収差を示し、Ｔは波長１０μｍのタンジェンシャル方向の非点収差を示す。歪曲収差図（ｃ）は、波長１０μｍの歪曲収差を示す。
【図１２】本発明の第４実施形態の遠赤外線レンズ用テレコンバーターレンズ装着レンズ系のテレ端の収差図であり、（ａ）は球面収差図、（ｂ）は非点収差図、（ｃ）は歪曲収差図である。非点収差図（ｂ）において、Ｓは波長１０μｍのサジタル方向の非点収差を示し、Ｔは波長１０μｍのタンジェンシャル方向の非点収差を示す。歪曲収差図（ｃ）は、波長１０μｍの歪曲収差を示す。
【図１３】本発明の第５実施形態の遠赤外線レンズ用テレコンバーターレンズの光学図である。
【図１４】本発明の第５実施形態の遠赤外線レンズ用テレコンバーターレンズ装着レンズ系のワイド端の収差図であり、（ａ）は球面収差図、（ｂ）は非点収差図、（ｃ）は歪曲収差図である。非点収差図（ｂ）において、Ｓは波長１０μｍのサジタル方向の非点収差を示し、Ｔは波長１０μｍのタンジェンシャル方向の非点収差を示す。歪曲収差図（ｃ）は、波長１０μｍの歪曲収差を示す。
【図１５】本発明の第５実施形態の遠赤外線レンズ用テレコンバーターレンズ装着レンズ系のテレ端の収差図であり、（ａ）は球面収差図、（ｂ）は非点収差図、（ｃ）は歪曲収差図である。非点収差図（ｂ）において、Ｓは波長１０μｍのサジタル方向の非点収差を示し、Ｔは波長１０μｍのタンジェンシャル方向の非点収差を示す。歪曲収差図（ｃ）は、波長１０μｍの歪曲収差を示す。
【図１６】本発明の第６実施形態の遠赤外線レンズ用テレコンバーターレンズの光学図である。
【図１７】本発明の第６実施形態の遠赤外線レンズ用テレコンバーターレンズ装着レンズ系のワイド端の収差図であり、（ａ）は球面収差図、（ｂ）は非点収差図、（ｃ）は歪曲収差図である。非点収差図（ｂ）において、Ｓは波長１０μｍのサジタル方向の非点収差を示し、Ｔは波長１０μｍのタンジェンシャル方向の非点収差を示す。歪曲収差図（ｃ）は、波長１０μｍの歪曲収差を示す。
【図１８】本発明の第６実施形態の遠赤外線レンズ用テレコンバーターレンズ装着レンズ系のテレ端の収差図であり、（ａ）は球面収差図、（ｂ）は非点収差図、（ｃ）は歪曲収差図である。非点収差図（ｂ）において、Ｓは波長１０μｍのサジタル方向の非点収差を示し、Ｔは波長１０μｍのタンジェンシャル方向の非点収差を示す。歪曲収差図（ｃ）は、波長１０μｍの歪曲収差を示す。
【図１９】本発明の第７実施形態の遠赤外線レンズ用テレコンバーターレンズの光学図である。
【図２０】本発明の第７実施形態の遠赤外線レンズ用テレコンバーターレンズ装着レンズ系のワイド端の収差図であり、（ａ）は球面収差図、（ｂ）は非点収差図、（ｃ）は歪曲収差図である。非点収差図（ｂ）において、Ｓは波長１０μｍのサジタル方向の非点収差を示し、Ｔは波長１０μｍのタンジェンシャル方向の非点収差を示す。歪曲収差図（ｃ）は、波長１０μｍの歪曲収差を示す。
【図２１】本発明の第７実施形態の遠赤外線レンズ用テレコンバーターレンズ装着レンズ系のテレ端の収差図であり、（ａ）は球面収差図、（ｂ）は非点収差図、（ｃ）は歪曲収差図である。非点収差図（ｂ）において、Ｓは波長１０μｍのサジタル方向の非点収差を示し、Ｔは波長１０μｍのタンジェンシャル方向の非点収差を示す。歪曲収差図（ｃ）は、波長１０μｍの歪曲収差を示す。
【図２２】本発明の第８実施形態の遠赤外線レンズ用テレコンバーターレンズの光学図である。
【図２３】本発明の第８実施形態の遠赤外線レンズ用テレコンバーターレンズ装着レンズ系のワイド端の収差図であり、（ａ）は球面収差図、（ｂ）は非点収差図、（ｃ）は歪曲収差図である。非点収差図（ｂ）において、Ｓは波長１０μｍのサジタル方向の非点収差を示し、Ｔは波長１０μｍのタンジェンシャル方向の非点収差を示す。歪曲収差図（ｃ）は、波長１０μｍの歪曲収差を示す。
【図２４】本発明の第８実施形態の遠赤外線レンズ用テレコンバーターレンズ装着レンズ系のテレ端の収差図であり、（ａ）は球面収差図、（ｂ）は非点収差図、（ｃ）は歪曲収差図である。非点収差図（ｂ）において、Ｓは波長１０μｍのサジタル方向の非点収差を示し、Ｔは波長１０μｍのタンジェンシャル方向の非点収差を示す。歪曲収差図（ｃ）は、波長１０μｍの歪曲収差を示す。
【図２５】本発明の前記実施形態の遠赤外線レンズ用テレコンバーターレンズを装着する遠赤外線ズームレンズのワイド端の光学図である。
【図２６】本発明の前記実施形態の遠赤外線レンズ用テレコンバーターレンズのワイド端の収差図であり、（ａ）は球面収差図、（ｂ）は非点収差図、（ｃ）は歪曲収差図である。非点収差図（ｂ）において、Ｓは波長１０μｍのサジタル方向の非点収差を示し、Ｔは波長１０μｍのタンジェンシャル方向の非点収差を示す。歪曲収差図（ｃ）は、波長１０μｍの歪曲収差を示す。
【図２７】本発明の前記実施形態の遠赤外線レンズ用テレコンバーターレンズを装着する遠赤外線ズームレンズのテレ端の光学図である。
【図２８】本発明の前記実施形態の遠赤外線レンズ用テレコンバーターレンズのテレ端の収差図であり、（ａ）は球面収差図、（ｂ）は非点収差図、（ｃ）は歪曲収差図である。非点収差図（ｂ）において、Ｓは波長１０μｍのサジタル方向の非点収差を示し、Ｔは波長１０μｍのタンジェンシャル方向の非点収差を示す。歪曲収差図（ｃ）は、波長１０μｍの歪曲収差を示す。
【発明を実施するための形態】
【００２０】
以下に、本発明の遠赤外線用テレコンバーターレンズの実施形態のレンズデータ等を示す。波長は、１０μｍである。以下のレンズデータ等の面番号でASPHを付したものは非球面である。非球面形状を表す式は，光軸に垂直な高さをH，面頂を原点としたときの高さHにおける光軸方向の変位量をX(H)，近軸曲率半径をR，円錐係数をε，２次の非球面係数A，４次の非球面係数B，６次の非球面係数C，８次の非球面係数D，１０次の非球面係数Eとしたとき、次の式で表される。
【数１】
2014063040.tif 000003
焦点距離の変動に伴いレンズ間隔が変動する箇所は、D(i)（i=面番号）で示す。
【００２１】
以下のレンズデータ等の面番号でDIFFを付したものは回折面である。回折面の位相差を表す式は
Φ(H)＝α2H2 ＋ α4H4 ＋ α6H6 ＋ α8H8 ＋ α10H10
である。α2〜α10は、回折次数を示す。
【００２２】
（第１実施形態）
面番号        曲率半径R        面間隔厚さD      材料
１             76.829            9.0          GELMANIUM
２ASPH        112.8763          17.7226
３ASPH         55.9063           3.5          GELMANIUM
４ASPH         36.4607          13.7
【００２３】
非球面係数
面    ε           A            B           C            D              E
2   3.4781     0.00E+00     -7.41E-08   -9.31E-11     6.54E-15      -6.44E-18
3  -0.1864     0.00E+00     -8.78E-07   -7.00E-10    -1.87E-12       8.42E-16
4   0.6197     0.00E+00     -1.99E-06   -7.57E-10    -5.83E-12       3.07E-15
【００２４】
条件式の値
条件式(１)  （f1/f2）/d12＝6.08
条件式(２)  ν＝942
条件式(３)  f1/f2＝-1.67
【００２５】
（第２実施形態）
面番号        曲率半径R      面間隔厚さD        材料
１             76.3114          8.6586        GELMANIUM
２ASPH        108.3393         16.5351
３ASPH         42.4085          3.5           GELMANIUM
４ASPH         30.2759         13.7
【００２６】
非球面係数
面    ε           A            B           C            D              E
2   3.4541     0.00E+00     -3.15E-08   -9.86E-11    -2.40E-15      -4.35E-18
3   0.1361     0.00E+00     -6.03E-07   -4.32E-10    -1.99E-12       1.12E-15
4   0.5908     0.00E+00     -2.07E-06   -8.08E-10    -5.98E-12       3.12E-15
【００２７】
条件式の値
条件式(１)  （f1/f2）/d12＝2.56
条件式(２)  ν＝942
条件式(３)  f1/f2＝-1.59
【００２８】
（第３実施形態）
面番号        曲率半径R      面間隔厚さD        材料
１             74.6909          9.0677        GELMANIUM
２ASPH        112.6396         14.1419
３ASPH         48.1347          3.5           GELMANIUM
４ASPH         32.3998         13.7
【００２９】
非球面係数
面    ε           A            B           C            D              E
2   3.282      0.00E+00      4.92E-08   -1.06E-10     1.32E-15      -9.26E-19
3  -0.12       0.00E+00     -1.01E-06    1.15E-10    -9.87E-13       5.16E-16
4   0.544      0.00E+00     -2.43E-06   -2.44E-10    -2.03E-12       6.74E-15
【００３０】
条件式の値
条件式(１)  （f1/f2）/d12＝2.53
条件式(２)  ν＝942
条件式(３)  f1/f2＝-1.58
【００３１】
（第４実施形態）
面番号        曲率半径R      面間隔厚さD        材料
１             71.7018          9.3915        GELMANIUM
２ASPH        113.0925         12.4108
３ASPH         49.9394          3.5           GELMANIUM
４ASPH         32.0722         13.7
【００３２】
非球面係数
面    ε           A             B           C            D              E
2   3.3938      0.00E+00      8.42E-08   -1.06E-10    -3.79E-15      -1.51E-20
3  -0.1622      0.00E+00     -1.03E-06    2.45E-10    -9.66E-13       5.32E-16
4   0.5504      0.00E+00     -2.34E-06   -3.66E-10    -1.92E-12       8.75E-16
【００３３】
条件式の値
条件式(１)  （f1/f2）/d12＝2.33
条件式(２)  ν＝942
条件式(３)  f1/f2＝-1.59
【００３４】
（第５実施形態）
面番号        曲率半径R      面間隔厚さD        材料
１             82.06374          9.0          GELMANIUM
２ASPH        116.553           20.14273
３ASPH         52.20931          3.5          GELMANIUM
４ASPH/DIFF    36.6892          13.7
【００３５】
非球面係数
面    ε           A             B           C            D              E
2   3.304       0.00E+00     -9.78E-08   -8.38E-11     1.46E-14      -4.90E-18
3  -0.745       0.00E+00     -6.93E-07   -1.21E-09    -6.94E-13       1.06E-15
4   0.695       0.00E+00     -2.53E-06   -1.17E-09    -4.25E-12       4.07E-15
【００３６】
回折面係数
面        α2      α4         α6       α8         α10
4       -7.641    -3.376      -3.960     0.014       -2.462
【００３７】
条件式の値
条件式(１)  （f1/f2）/d12＝3.18
条件式(２)  ν＝942
条件式(３)  f1/f2＝-1.65
【００３８】
（第６実施形態）
面番号        曲率半径R      面間隔厚さD        材料
１             92.7793          10.0          GELMANIUM
２ASPH        116.4292          40.669
３ASPH         36                4.2          GELMANIUM
４ASPH         27.0452          13.7
【００３９】
非球面係数
面    ε           A             B           C            D              E
2   2.4564      0.00E+00     -6.49E-08   -3.00E-11     4.38E-15      -1.49E-18
3   0.0456      0.00E+00      1.44E-06   -8.76E-10    -1.63E-12      -2.67E-16
4   0.441       0.00E+00      7.13E-07    3.48E-10    -9.14E-12       9.02E-16
【００４０】
条件式の値
条件式(１)  （f1/f2）/d12＝4.21
条件式(２)  ν＝942
条件式(３)  f1/f2＝-2.07
【００４１】
（第７実施形態）
面番号        曲率半径R      面間隔厚さD        材料
１             65.0245          10.0          GELMANIUM
２ASPH         99.3019          12.3091
３ASPH         43.2739           3.5          GELMANIUM
４ASPH         27.5566          13.7
【００４２】
非球面係数
面    ε           A             B           C            D              E
2   2.9685      0.00E+00      1.17E-07   -1.44E-10     3.00E-16      -3.70E-18
3   0.1467      0.00E+00     -9.92E-07    1.42E-10    -1.35E-12       8.40E-16
4   0.5254      0.00E+00     -2.00E-06   -9.49E-10    -1.64E-12       1.21E-17
【００４３】
条件式の値
条件式(１)  （f1/f2）/d12＝3.21
条件式(２)  ν＝942
条件式(３)  f1/f2＝-1.70
【００４４】
（第８実施形態）
面番号        曲率半径R      面間隔厚さD        材料
１             65.5155          10.0          GELMANIUM
２ASPH         97.8244           6.8053
３ASPH         52.6865           3.5          GELMANIUM
４ASPH         34.7131          13.7
【００４５】
非球面係数
面    ε           A             B           C            D              E
2   2.9001      0.00E+00      1.35E-07   -2.19E-10    -1.88E-14       1.01E-17
3   0.146       0.00E+00     -1.11E-06    8.41E-11    -1.19E-12       5.60E-16
4   0.5301      0.00E+00     -1.96E-06    5.03E-10    -2.40E-12       8.18E-16
【００４６】
条件式の値
条件式(１)  （f1/f2）/d12＝2.81
条件式(２)  ν＝942
条件式(３)  f1/f2＝-1.40
【００４７】
上述した本発明の実施形態の遠赤外線レンズ用テレコンバーターレンズを装着した本体ズームレンズ系のレンズデータ等は以下の通りである。
面番号     曲率半径R     面間隔D     材料          レンズ半径
1            50.325         5      CHALCOGENIDE      16.2
*2           63.906        D(2)                      15.1
*3         -100.000         2      GELMANIUM         11.1
*4          250.000        D(4)                      10.4
*5           44.075         3      GELMANIUM          7.8
*6           51.207        D(6)                       8.1
7            55.215         3      GELMANIUM         11.7
*8          250.000        D(8)                      11.5
9            INF            1      GELMANIUM          9.8
10           INF           18                         9.7
IMAGE                                                 5.0
【００４８】
非球面係数
面       ε           A            B            C             D
2   -3.4941E+00   1.8829E-06   3.1948E-10   5.0948E-12   -1.6133E-14
3   -3.0636E+02   7.7601E-05  -3.5613E-07   7.1843E-10    6.5777E-13
4    4.5511E+02   1.0780E-04  -6.1701E-07   2.1689E-09   -4.4618E-12
5   -2.8059E+01  -3.1559E-05  -6.3669E-07   2.6800E-09   -1.4342E-11
6   -2.6812E+01  -6.0196E-05  -4.4360E-07   2.9057E-09   -1.0992E-11
8    2.8468E+02   1.0684E-06  -1.7327E-08   1.0831E-10   -5.2025E-13
【００４９】
焦点距離     Fno       D(2)       D(4)      D(6)     D(8)
WIDE      14.00       1.58      2.00      26.41     22.49     7.49
TELE      40.00       1.89     27.31       1.10     13.17    16.81
【符号の説明】
【００５０】
L１          第１レンズ
L２          第２レンズ
ＭＬ          本体レンズ
IMG          結像
【図１】
2014063040.tif 000004
【図２】
2014063040.tif 000005
【図３】
2014063040.tif 000006
【図４】
2014063040.tif 000007
【図５】
2014063040.tif 000008
【図６】
2014063040.tif 000009
【図７】
2014063040.tif 000010
【図８】
2014063040.tif 000011
【図９】
2014063040.tif 000012
【図１０】
2014063040.tif 000013
【図１１】
2014063040.tif 000014
【図１２】
2014063040.tif 000015
【図１３】
2014063040.tif 000016
【図１４】
2014063040.tif 000017
【図１５】
2014063040.tif 000018
【図１６】
2014063040.tif 000019
【図１７】
2014063040.tif 000020
【図１８】
2014063040.tif 000021
【図１９】
2014063040.tif 000022
【図２０】
2014063040.tif 000023
【図２１】
2014063040.tif 000024
【図２２】
2014063040.tif 000025
【図２３】
2014063040.tif 000026
【図２４】
2014063040.tif 000027
【図２５】
2014063040.tif 000028
【図２６】
2014063040.tif 000029
【図２７】
2014063040.tif 000030
【図２８】
2014063040.tif 000031